(57)【要約】      （修正有）【課題】梯子を屋根や壁等に立てかける際の滑り止めの防止に関する。【解決手段】梯子を立てかける雨樋３、受金具４にワイヤーを通して固定あるいは壁にＴ字金具を押し当てて固定する。従来はただ立てかけるだけであったが、雨樋、受金具に通したワイヤーをモーターによって締め付ける、あるいは壁にＴ字金具をボルトで締め付けて固定することによって滑り止めを防止することができる。【選択図】図１
0003133957.tif 000002
【実用新案登録請求の範囲】
【請求項１】
雨樋に立てかけた梯子の可動式ボックスからワイヤーを受金具、雨樋に巻きつけて締める事によって、あるいは壁に立てかけた梯子に壁に当てたＴ字金具を固定することによって、滑り止めを防止する梯子。
【請求項２】
雨樋に立てかけた梯子の可動式ボックスからワイヤーを受金具、雨樋に巻きつけて締める事によって、滑り止めを防止する梯子。
【請求項３】
壁に立てかけた梯子に壁に当てたＴ字金具を固定することによって、滑り止めを防止する梯子。
【考案の詳細な説明】
【技術分野】
【０００１】  本考案は、梯子を屋根や壁等に立てかける際の滑り止めの防止に関するものである。
【背景技術】
【０００２】  屋根にのぼる際、梯子を立てかける。その梯子は雨樋に接し、雨樋が屋根に比較的簡単に固定されているところから、梯子の安定性がよくない。【０００３】  すなわち雨樋は雨を流す重量しか想定しておらず、人間が梯子をかけて登ってくる重量がかかることを想定していないのである。【０００４】  しかし屋根には屋根を覆うように雨樋が行き渡り、雨樋のないところに梯子を立てかける事はほとんど不可能である。【０００５】  仮にみつかったとしても、探すことに大層な時間を取られ、しかも梯子を立てかける位置を選べないという欠点がある。【０００６】  このことから、屋根にのぼる場合、不安定な雨樋に梯子を立てかけざるを得ないことがわかる。【０００７】  そこで不安定な雨樋に梯子を立てかけ、これを安定化させることができないかというのが本考案の課題である。【０００８】  あわせて、雨樋のないところに立てかける場合でも、やはり滑らないようにする安定性の要請はある。【０００９】  そこで、壁のような直角の材質のところへ梯子を立てかける場合の安定性を図ることも検討する。
【考案の開示】
【考案が解決しようとする課題】
【００１０】  まず雨樋に立てかける際の安定性から考える。誰が見ても梯子とそれに登ってくる人とを加えた重い重量には耐えられそうもない雨樋に梯子を立てかける事は危険である。雨樋が壊れる可能性もある。【００１１】  そこで雨樋を固定する受金具に着目し、梯子を受金具によって固定しようというのが本考案である。【００１２】  受金具は壁にしっかり固定されている。【００１３】  梯子を雨樋に立てかけながら、受金具に梯子を固定することによって梯子の一方は固定される。【００１４】  しかし受金具は梯子のもう一方は固定されていない。もう一方は雨樋に固定せざるをえない。両方とも梯子の両側に可動式のボックスを付属させ、その中に緊結ワイヤーを内蔵させ、ワイヤーを受金具、雨樋にくくりつける。【００１５】  こうして受金具と雨樋に梯子を固定させることによって梯子は安定性を獲得する。
【課題を解決するための手段】
【００１６】  本課題を解決するためには、ひとつの制約がある。それは梯子を受金具のあるところに立てかけなければならないということである。【００１７】  これは可能である。なぜなら、受金具は雨樋を通す際に、定置的に、規則的に配置されているからである。それは探すのが容易であり、作業能率を低下させない。まず受金具のあるところに梯子を立てかける。【００１８】  次に梯子の両側の支柱の外側に可動式ボックスを設置する。【００１９】  このボックスの内部には、緊結ワイヤーを内蔵する。【００２０】  梯子を立てかける際に、雨樋と接したところに可動式ボックスを固定し、中から緊結ワイヤーを取り出し、受金具に緊結ワイヤーを硬く締め付け、固定する。【００２１】  反対側の支柱の外側にも可動式ボックスを雨樋と接したところに固定し、中から緊結ワイヤーを取り出し、雨樋に緊結ワイヤーをきつく締め付け、固定する。【００２２】  このように固定することによって、梯子はただ立てかけるだけでなく、一方は建物に、一方は雨樋に固定され、ずれ落ちたり、滑ったりする危険性がなくなるのである。【００２３】ベランダの柵などに架ける場合も同様に利用できる。【００２４】    次に雨樋のない、ビルの屋上や、窓枠などに架ける場合を考える。【００２５】  この場合は、梯子と接するところが、コンクリート等の硬い材質で直角に折れ曲がっているところが想定される。【００２６】  このようなところでは、梯子の側面に付属させた可動式の部品に９０度の鉄の金具を付着させておいて、これを梯子が接する材質にかぶせ、この材質を梯子に固定することによって梯子を安定化させる。
【考案の効果】
【００２７】  これまで建設現場等の梯子を使うところでは、ともすれば安易に梯子を扱い、梯子を立てかけたところが不安定だったり、地面が滑ったりして危険だった。下で梯子を支える人間がいれば問題ないが、忙しさのあまり人がいないこともあるし、梯子を使う際にいつも余分な１人が必要だということになれば、効率も悪い。そしてともすれば危険が放置されることがあったが、それはより小さい危険ということで今まで見過ごされてきた。しかし作業には何よりも安全第一である。【００２８】  また雪国では屋根の雪下ろしをする際に屋根に梯子をかける事は欠かせないし、１人で雪下ろしすることもある。【００２９】  このように、梯子を使うに十分安全が配慮されなかった結果これまで数限りない事故が起こってきたのであり、また、わずかな注意で事故を未然に防ぐことができればこれに越した事はないのである。【００３０】  一番大きいのは、作業に当たる人間の安心感である。高いところから梯子で降りようとするとき、下がすべるのではないかとか、梯子を立てかけた部分がずれるのではないかといった不安感は、現場での仕事を萎縮させる。【００３１】  実際に安全であり、それが確認されれば、作業自体の軽減化にもつながるのである。
【考案の実施するための最良の形態】
【００３２】  最初は固定してない状態で誰かが登り、固定化の作業をしなければならないわけであるが、この作業はできるだけ簡単であることが望ましい。梯子の支柱の両側につける可動式ボックスがレールを伝って簡単に梯子に登った人間の横まで行き、かつその人間が簡単に作業できる形態にする。
【００３３】  可動式ボックスの中にはワイヤーを内蔵し、簡単にそれが取り出せるようにし、梯子に乗ったままでも、ワイヤーを受金具や雨樋に取り付ける作業が容易にできるようにする。できれば雨樋や受金具に巻いて箱の中に突き刺せば、自動的に締め付けてくれる装置が望ましい。
【００３４】  壁等に立てかけける場合は、可動式ボックスの替わりに直角の材質を滑らせていき、壁等にあてがい梯子にボルトとナット等で固定する。
【実施例】
【００３５】  以下添付図面に従って実施例を挙げる。【００３６】  図１は屋根に梯子をかけたときの図である。屋根に梯子をかける事は想定されてないので、通常は梯子が雨樋に接するのが普通である。しかし最近の雨樋は材質もよくなり、構造もしっかりしてきたので、梯子にかかる人の重量を十分に受け止めることができる。【００３７】  図１の▲２▼が可動式ボックスである。【００３８】  図２のように、雨樋によって支えられている梯子の雨樋の受金具のところ及び雨樋のところに可動式ボックスを移動させる。【００３９】  図３のように、可動式ボックスからワイヤーを引き出し、受金具に掛け、再び可動式ボックスに突き刺す。【００４０】  図４のように、梯子のもう一方の側から雨樋にワイヤーを巻きつけ、再び可動式ボックスに突き刺す。【００４１】  図５は可動式ボックスの中を側面から見たものである。中にはワイヤーがまきつけられている。【００４２】  図６は、可動式ボックスを正面から見たもので、モーターによりワイヤーが巻きつける方向に圧力がかかっている。【００４３】  図７は、ボックスの中からワイヤーを取り出して雨樋に巻きつけ、再びボックスに固定したところである。再びボックスに固定することにより、それがスイッチとなりモーターが巻きつける方向に力が加わるよう配線してある。【００４４】  図８は、壁等に梯子をかける場合である。【００４５】  可動式ボックスの変わりにＴ字型の金具を梯子を滑らせていって、図９のように壁に固定する。
【図面の簡単な説明】
【００４６】
【図１】梯子を屋根に立てかけたところ（実際は雨樋に立てかけている）
【図２】梯子を雨樋に立てかけ、可動式ボックスを雨樋のところまで移動させた図
【図３】可動式ボックスから受金具にワイヤーを通したところ
【図４】可動式ボックスから雨樋にワイヤーを通したところ
【図５】可動式ボックスの中（側面）
【図６】可動式ボックスの中（正面）
【図７】可動式ボックスからワイヤーを雨どいに通し、再びボックスに戻したところ
【図８】梯子を壁に立てかけたところ
【図９】Ｔ字型金具で梯子と壁を固定したところ
【符号の説明】
【００４７】▲１▼梯子
▲２▼可動式ボックス
▲３▼雨樋
▲４▼受金具
▲５▼ワイヤー
▲６▼モーター
▲７▼ボルト
▲８▼Ｔ字型金具
【図１】
0003133957.tif 000003
【図２】
0003133957.tif 000004
【図３】
0003133957.tif 000005
【図４】
0003133957.tif 000006
【図５】
0003133957.tif 000007
【図６】
0003133957.tif 000008
【図７】
0003133957.tif 000009
【図８】
0003133957.tif 000010
【図９】
0003133957.tif 000011
【手続補正書】
【提出日】平成19年4月16日(2007.4.16)
【手続補正１】
【補正対象書類名】実用新案登録請求の範囲
【補正対象項目名】全文
【補正方法】変更
【補正の内容】
【実用新案登録請求の範囲】
【請求項１】
ワイヤーを締めることによって外部のものに固定可能なワイヤーを内蔵する可動式ボックスつきの梯子。
【請求項２】
可動式ボックスに内蔵するワイヤーで外部のものに巻きつけた後それを可動式ボックスに固定して、それを内蔵のモーターで締めることによって外部のものに固定可能な可動式ボックスつきの梯子。
【手続補正２】
【補正対象書類名】明細書
【補正対象項目名】全文
【補正方法】変更
【補正の内容】
【考案の詳細な説明】
【技術分野】
【０００１】  本考案は、梯子を屋根に立てかける際の滑り止めの防止に関するものである。
【背景技術】
【０００２】  屋根にのぼる際、梯子を立てかける。その梯子は雨樋に接し、雨樋が屋根に比較的簡単に固定されているところから、梯子の安定性がよくない。【０００３】  すなわち雨樋は雨を流す重量しか想定しておらず、人間が梯子をかけて登ってくる重量がかかることを想定していないのである。【０００４】  しかし屋根には屋根を覆うように雨樋が行き渡り、雨樋のないところに梯子を立てかける事はほとんど不可能である。【０００５】  仮にみつかったとしても、探すことに大層な時間を取られ、しかも梯子を立てかける位置を選べないという欠点がある。【０００６】  このことから、屋根にのぼる場合、不安定な雨樋に梯子を立てかけざるを得ないことがわかる。【０００７】  そこで不安定な雨樋に梯子を立てかけ、これを安定化させる梯子ができないかというのが本考案の課題である。
【考案の開示】
【考案が解決しようとする課題】
【０００８】  誰が見ても梯子とそれに登ってくる人とを加えた重い重量には耐えられそうもない雨樋に梯子を立てかける事は危険である。雨樋が壊れる可能性もある。【０００９】  そこで雨樋を固定する受金具に着目し、梯子を受金具によって固定しようというのが本考案である。【００１０】  受金具は壁にしっかり固定されている。【００１１】  梯子を雨樋に立てかけながら、受金具に梯子を固定することによって梯子の一方は固定される。【００１２】  しかし受金具は梯子のもう一方は固定されていない。もう一方は雨樋に固定せざるをえない。両方とも梯子の両側に可動式のボックスを付属させ、その中に緊結ワイヤーを内蔵させ、ワイヤーを受金具、雨樋にくくりつける。【００１３】  こうして受金具と雨樋に梯子を固定させることによって梯子は安定性を獲得する。
【課題を解決するための手段】
【００１４】  梯子の両側の支柱の外側に可動式ボックスを設置する。【００１５】  このボックスの内部には、緊結ワイヤーを内蔵する。【００１６】  梯子を立てかける際に、雨樋と接したところに可動式ボックスを固定し、中から緊結ワイヤーを取り出し、受金具に緊結ワイヤーを硬く締め付け、固定する。【００１７】  反対側の支柱の外側にも可動式ボックスを雨樋と接したところに固定し、中から緊結ワイヤーを取り出し、雨樋に緊結ワイヤーをきつく締め付け、固定する。【００１８】  このように固定することによって、梯子はただ立てかけるだけでなく、一方は建物に、一方は雨樋に固定され、ずれ落ちたり、滑ったりする危険性がなくなるのである。
【考案の効果】
【００１９】  これまで建設現場等で家に梯子を立てかける際は、ともすれば安易に梯子を扱い、梯子を立てかけたところが不安定だったり、地面が滑ったりして危険だった。下で梯子を支える人間がいれば問題ないが、忙しさのあまり人がいないこともあるし、梯子を使う際にいつも余分な１人が必要だということになれば、効率も悪い。そしてともすれば危険が放置されることがあったが、それはより小さい危険ということで今まで見過ごされてきた。しかし作業には何よりも安全が第一である。【００２０】  また雪国では屋根の雪下ろしをする際に屋根に梯子をかける事は欠かせないし、１人で雪下ろしすることもある。【００２１】  このように、梯子を使うに十分安全が配慮されなかった結果これまで数限りない事故が起こってきたのであり、また、わずかな注意で事故を未然に防ぐことができればこれに越した事はないのである。【００２２】  一番大きいのは、作業に当たる人間の安心感である。高いところから梯子で降りようとするとき、梯子を立てかけた部分がずれるのではないかといった不安感は、現場での仕事を萎縮させる。【００２３】  実際に安全であり、それが確認されれば、作業自体の軽減化にもつながるのである。
【考案の実施するための最良の形態】
【００２４】  最初は固定してない状態で誰かが登り、固定化の作業をしなければならないわけであるが、この作業はできるだけ簡単であることが望ましい。梯子の支柱の両側につける可動式ボックスがレールを伝って簡単に梯子に登った人間の横まで行き、かつその人間が簡単に作業できる形態にする。
【００２５】  可動式ボックスの中にはワイヤーを内蔵し、簡単にそれが取り出せるようにし、梯子に乗ったままでも、ワイヤーを受金具や雨樋に取り付ける作業が容易にできるようにする。できれば雨樋や受金具に巻いて箱の中に突き刺せば、自動的に締め付けてくれる装置が望ましい。
【実施例】
【００２６】  以下添付図面に従って実施例を挙げる。【００２７】  図１は屋根に梯子をかけたときの図である。屋根に梯子をかける際には、通常は梯子が雨樋に接するのが普通である。最近の雨樋は材質もよくなり、構造もしっかりしてきたので、梯子にかかる人の重量を十分に受け止めることができる。【００２８】  図１の▲２▼が可動式ボックスである。【００２９】  図２のように、雨樋によって支えられている梯子の雨樋の受金具のところ及び雨樋のところに可動式ボックスを移動させる。【００３０】  図３のように、可動式ボックスからワイヤーを引き出し、受金具に掛け、再び可動式ボックスに突き刺す。【００３１】  図４のように、梯子のもう一方の側から雨樋にワイヤーを巻きつけ、再び可動式ボックスに突き刺す。【００３２】  図５は可動式ボックスの中を側面から見たものである。中にはワイヤーがまきつけられている。【００３３】  図６は、可動式ボックスを正面から見たもので、モーターによりワイヤーが巻きつける方向に圧力がかかっている。【００３４】  図７は、ボックスの中からワイヤーを取り出して雨樋に巻きつけ、再びボックスに固定したところである。再びボックスに固定することにより、それがスイッチとなりモーターが巻きつける方向に力が加わるよう配線してある。
【図面の簡単な説明】
【００３５】
【図１】梯子を屋根に立てかけたところ（実際は雨樋に立てかけている）
【図２】梯子を雨樋に立てかけ、可動式ボックスを雨樋のところまで移動させた図
【図３】可動式ボックスから受金具にワイヤーを通したところ
【図４】可動式ボックスから雨樋にワイヤーを通したところ
【図５】可動式ボックスの中（側面）
【図６】可動式ボックスの中（正面）
【図７】可動式ボックスからワイヤーを雨どいに通し、再びボックスに戻したところ
【符号の説明】
【００３６】  ▲１▼  梯子
▲２▼  可動式ボックス
▲３▼  雨樋
▲４▼  受金具
▲５▼  ワイヤー
▲６▼  モーター
【手続補正３】
【補正対象書類名】図面
【補正対象項目名】図８
【補正方法】削除
【補正の内容】
【手続補正４】
【補正対象書類名】図面
【補正対象項目名】図９
【補正方法】削除
【補正の内容】